(57)【特許請求の範囲】
【請求項１】
吊り戸本体が上レールにランナーを介して走行自在に吊り下げられ、床面に磁力にて突出引退自在に設けられたガイドピンが吊り戸本体の下端面に形成された走行溝にその突出状態で挿入されて走行ガイドを行う吊り戸のガイド装置において、床面に形成された下穴に挿入固定される外筒と、ガイドピンを突出引退自在に収容保持して外筒内に嵌め込み固定される内筒とを備え、ガイドピンは内筒の中心に対して偏芯されており、外筒に上下縦方向で下端に開口したスリットを形成し、外筒のスリットが設けられている部分の内径を外筒の下部にかけて小さくなるようにして同外筒の下端の内径を内筒の外径よりも小さく形成し、外筒内に内筒を嵌め込むことにより外筒の下部が拡開されて外筒が床面の下穴に固定されるようになしたものであって、内筒を外筒内にその中ほどまで嵌め込んだ状態では、内筒の中心に対して偏芯されたガイドピンを保持する同内筒が静止して外筒に対し回転可能であり、内筒を外筒内により深く圧入して嵌め込んだ状態では、外筒の下部が内筒により拡開されて同外筒が床面の下穴に固定されるようになっていることを特徴とする吊り戸のガイド装置。
【請求項２】
外筒のスリットが設けられている部分において外筒を外筒の下部にかけて肉厚に形成したことを特徴とする請求項１記載の吊り戸のガイド装置。
【請求項３】
外筒のスリットが設けられている部分の外面に係止突起を形成することにより、外筒が床面の下穴に係合されるようになしたことを特徴とする請求項１又は２記載の吊り戸のガイド装置。
【請求項４】
吊り戸本体が上レールにランナーを介して走行自在に吊り下げられ、床面に磁力にて突出引退自在に設けられたガイドピンが吊り戸本体の下端面に形成された走行溝にその突出状態で挿入されて走行ガイドを行う吊り戸のガイド装置の施工方法において、請求項１乃至３のいずれか一項記載の吊り戸のガイド装置の外筒を床面に形成された下穴に挿入し、内筒を外筒内にその中ほどまで嵌め込んだ状態で、静止する内筒を外筒に対して回転させることにより、内筒の中心に対して偏芯されたガイドピンの平面視における位置を調整した後に、内筒を外筒内により深く圧入して嵌め込んだ状態とし、外筒の下部を拡開させて外筒を床面の下穴に固定することを特徴とする吊り戸のガイド装置の施工方法。
【発明の詳細な説明】
【技術分野】
【０００１】
本願発明は、吊り戸の下部をガイドするための吊り戸のガイド装置及び同装置の施工方法に関するものである。さらに詳しくは、吊り戸のガイド装置の外筒を床面の下穴に固定する技術に関するものである。
【背景技術】
【０００２】
従来から、特開平４−２９７６８７号公報（特許文献１）に示されるように、吊り戸本体が上レールにランナーを介して走行自在に吊り下げられ、床面に磁力にて突出引退自在に設けられたガイドピンが吊り戸本体の下端面に形成された走行溝にその突出状態で挿入されて走行ガイドを行う吊り戸のガイド装置が知られている。この吊り戸のガイド装置は、図８に示すように、床面４の下穴に固定される外筒７と、ガイドピン５を突出引退自在に収容保持して外筒７内に嵌め込み固定される内筒８とを備えている。
【特許文献１】特開平４−２９７６８７号公報
【発明の開示】
【発明が解決しようとする課題】
【０００３】
しかしながら、上記従来例である吊り戸のガイド装置においては、図８に示すように、外筒７の外周に係止突起１０を形成して外筒７が床面４の下穴から抜けないようにしている。このような係止突起１０を外筒７の外周に設けた場合、木質下地に施工する際には外筒７の係止突起１０が木質下地と係合して、外筒７が床面４の下穴から抜けにくくなるが、コンクリートスラブに施工する際には係止突起１０がコンクリートスラブと係合せず、外筒７を床面４の下穴にしっかりと固定させることができないという問題があった。
【０００４】
本願発明は、上記背景技術に鑑みてなしたものであり、その目的は、床面の構造材の種類にかかわらず、外筒を床面の下穴にしっかりと固定することができる吊り戸のガイド装置及び同装置の施工方法を提供することである。
【課題を解決するための手段】
【０００５】
上記課題を解決するために、本願請求項１記載の発明は、吊り戸本体が上レールにランナーを介して走行自在に吊り下げられ、床面に磁力にて突出引退自在に設けられたガイドピンが吊り戸本体の下端面に形成された走行溝にその突出状態で挿入されて走行ガイドを行う吊り戸のガイド装置において、床面に形成された下穴に挿入固定される外筒と、ガイドピンを突出引退自在に収容保持して外筒内に嵌め込み固定される内筒とを備え、ガイドピンは内筒の中心に対して偏芯されており、外筒に上下縦方向で下端に開口したスリットを形成し、外筒のスリットが設けられている部分の内径を外筒の下部にかけて小さくなるようにして同外筒の下端の内径を内筒の外径よりも小さく形成し、外筒内に内筒を嵌め込むことにより外筒の下部が拡開されて外筒が床面の下穴に固定されるようになしたものであって、内筒を外筒内にその中ほどまで嵌め込んだ状態では、内筒の中心に対して偏芯されたガイドピンを保持する同内筒が静止して外筒に対し回転可能であり、内筒を外筒内により深く圧入して嵌め込んだ状態では、外筒の下部が内筒により拡開されて同外筒が床面の下穴に固定されるようになっていることを特徴とている。
【０００６】
本願請求項２記載の発明は、上記請求項１記載の吊り戸のガイド装置において、外筒のスリットが設けられている部分において外筒を外筒の下部にかけて肉厚に形成したことを特徴としている。
【０００７】
本願請求項３記載の発明は、上記請求項1又は２記載の吊り戸のガイド装置において、外筒のスリットが設けられている部分の外面に係止突起を形成することにより、外筒が床面の下穴に係合されるようになしたことを特徴としている。
【０００８】
本願請求項４記載の発明は、吊り戸本体が上レールにランナーを介して走行自在に吊り下げられ、床面に磁力にて突出引退自在に設けられたガイドピンが吊り戸本体の下端面に形成された走行溝にその突出状態で挿入されて走行ガイドを行う吊り戸のガイド装置の施工方法において、請求項１乃至３のいずれか一項記載の吊り戸のガイド装置の外筒を床面に形成された下穴に挿入し、内筒を外筒内にその中ほどまで嵌め込んだ状態で、静止する内筒を外筒に対して回転させることにより、内筒の中心に対して偏芯されたガイドピンの平面視における位置を調整した後に、内筒を外筒内により深く圧入して嵌め込んだ状態とし、外筒の下部を拡開させて外筒を床面の下穴に固定することを特徴としている。
【発明の効果】
【０００９】
本願請求項１記載の発明の吊り戸のガイド装置においては、外筒内に内筒を嵌め込む際の圧力によって外筒の下部が拡開されるので、床面の構造材の種類にかかわらず、外筒を床面の下穴にしっかりと固定することができ、この場合に、ガイドピンを嵌め込んでいる内筒を外筒に対して回転することにより、平面視におけるガイドピンの位置を調整し、吊り戸本体の走行軌跡（つまり走行溝の走行軌跡）に合わせることができる。
【００１０】
本願請求項２記載の発明の吊り戸のガイド装置においては、特に、外筒のスリットが設けられている部分において外筒を外筒の下部にかけて肉厚に形成することで、固定する際に押圧される外筒の下部の強度を保つことができるとともに、より強固に外筒を床面の下穴に固定することができる。
【００１１】
本願請求項３記載の発明の吊り戸のガイド装置においては、特に、外筒のスリットが設けられている部分の外面に形成された係止突起によって、外筒が床面の下穴に係合し、より確実に固定することができる。
【００１２】
本願請求項４記載の発明の吊り戸のガイド装置の施工方法においては、外筒内に内筒を嵌め込む際の圧力によって外筒の下部を拡開させるので、床面の構造材の種類にかかわらず、外筒を床面の下穴にしっかりと固定することができる。
【発明を実施するための最良の形態】
【００１３】
図１乃至図５は、本願発明の第１の実施形態である吊り戸のガイド装置を示している。この実施形態の吊り戸のガイド装置では、吊り戸本体１が上レール２にランナー３を介して走行自在に吊り下げられ、床面４に磁力にて突出引退自在に設けられたガイドピン５が吊り戸本体１の下端面に形成された走行溝６にその突出状態で挿入されて走行ガイドを行うものである。この場合に、図１に示すように、床面４に形成された下穴１３に挿入固定される外筒７と、ガイドピン５を突出引退自在に収容保持して外筒７内に嵌め込み固定される内筒８とを備え、外筒７に上下縦方向で下端に開口したスリット９を形成し、外筒７のスリット９が設けられている部分の内径を外筒７の下部にかけて小さくなるよう形成し、外筒７内に内筒８を嵌め込むことにより外筒７の下部が拡開されて外筒７が床面４の下穴１３に固定されるようになしている。
【００１４】
以下、この実施形態の吊り戸のガイド装置を、より具体的詳細に説明する。図２、図４に示すように、吊り戸本体１の上端の両端部にはランナー３が設けてあり、これらランナー３は天井などに取付けた上レール２に走行自在に嵌め込まれており、吊り戸本体１は、ランナー３を介して上レール２に走行自在に吊り下げられている。上レール２の下方の床面４には図２乃至図５に示すように、上レール２に平行にガイドピン５が適宜間隔を隔てて磁力にて突出引退自在に設けてある。
【００１５】
吊り戸本体１の下端面には全長にわたって走行溝６が形成されている。図３に示すように、走行溝６の両端部にはそれぞれ吸引磁石１１が取付けられており、この吸引磁石１１はいずれもＮ極とＳ極とが走行溝６の長手方向に並ぶように配置されている。この場合、両吸引磁石１１の外側には同じ極が位置し且つ両吸引磁石１１の内側には同じ極が位置するようにされている。また、上記吸引磁石１１の両側には鉄板のような磁性体にて形成された傾斜ガイド１２が設けられている。
【００１６】
次に、床面４にガイドピン５を突出引退自在に設ける構成について説明する。図１に示すように、床面４に形成された下穴１３に外筒７を挿入し、外筒７内に内筒８を嵌め込むことにより外筒７の下部が拡開されて外筒７が床面４の下穴１３に固定されるようになっている。この外筒７は上下縦方向で下端に開口したスリット９を有し、外筒７のスリット９が設けられている部分の内径は外筒７の下部にかけて小さくなるよう形成されている。また、外筒の下端に一段の係止突起１０を形成して、下穴１３の周壁と係合するようになしている。ここで、外筒７の上端部にはフランジ部１４が設けてあり、外筒７の挿入深さを決めている。さらに、内筒８の上端部の鍔部１５が外筒７のフランジ部１４に載置されて嵌め込み深さが決められるものであり、また、この場合、内筒８の下端部が外筒７の下端部よりも若干下方に位置して外筒７の下部が確実に拡開されるようになっている。内筒８にはガイドピン５が突出引退自在に収容されている。ガイドピン５には縦方向に長くなった長孔１６が設けてあり、内筒８に固着された横ピン１７がガイドピン５の長孔１６に挿通してあって、これにより、内筒８に対して長孔１６が横ピン１７に対してスライドできる範囲のみガイドピン５が上下方向に移動できるように設定してある。
【００１７】
ガイドピン５の上端部には磁石１８が設けられ、この磁石１８はＮ極とＳ極が上下方向に並ぶようにしてあり、ガイドピン５に設けた磁石１８の上面側が上記吸引磁石１１の外側に位置する極と同極にしてある。また、ガイドピン５の下端部に下磁石１９を設け、内筒８の壁部にガイドピン５が上方に突出した状態でガイドピン５の下端部の下磁石１９に磁着する保持用磁石２０を設けてある。
【００１８】
上記のようにして複数のガイドピン５を床面４に突出引退自在に取付けるのであるが、吊り戸本体１の走行軌跡上に位置する複数のガイドピン５は一直線上に位置させる必要がある。
【００１９】
なお、ガイドピン５は内筒８の中心に対して偏芯させてもよい。この場合、ガイドピン５を嵌め込んでいる内筒８を外筒７に対して回転することにより、平面視におけるガイドピン５の位置を調整し、吊り戸本体１の走行軌跡（つまり走行溝６の走行軌跡）に合わせることができるものである。
【００２０】
しかして、ランナー３を介して上レール２に吊り下げた吊り戸本体１を走行させ、吊り戸本体１の下端面部の走行溝６の端部の吸引磁石１１の内側の極（実施形態ではＳ極）が床面４下に引退しているガイドピン５と対向する位置までくると、吸引磁石１１の内側の極とガイドピン５の上端部に設けた磁石１８の上面の極とが異極であるため磁力によりガイドピン５が上方に引き上げられてガイドピン５が走行溝６内に入り込む。このようにガイドピン５が上方に引き上げられると、ガイドピン５の下端部に設けた下磁石１９が内筒８の胴部の上下方向の略中間部に設けた保持用磁石２０と対向して磁着され、これによりガイドピン５が上方に突出して吊り戸本体１の下端面部の走行溝６内に入り込んだ状態が保持される。したがって、この状態で吊り戸本体１を更に移動させると、上記吊り戸本体１の下端面部の走行溝６がガイドピン５にガイドされながら吊り戸本体１が移動することになって、吊り戸本体１の下端部の振れを防止することができる。図３にガイドピン５が上方に突出して吊り戸本体１の下端面部の走行溝６内に入り込んで振れ止めをしながら吊り戸本体１の走行をガイドしている状態を示している。
【００２１】
上記のようにガイドピン５を走行溝６内に突入させてガイドしながら吊り戸本体１を走行させて吊り戸本体１の走行溝６の他端部に設けた吸引磁石１１の外側の極（実施形態ではＮ極）がガイドピン５の位置まで来ると、吸引磁石１１の外側の極とガイドピン５の上端部に設けた磁石１８の上面の極が同極であるため反発しあってガイドピン５が下方に押し下げられる力が作用する。この場合、ガイドピン５の上端部の磁石１８と吸引磁石１１とが反発して両者を引き離す磁力が、ガイドピン５の下端部に設けた下磁石１９と内筒８の胴部に設けた保持用磁石２０とが吸引する磁力よりも大きく設定してあり、このため、走行溝６の他端部に設けた吸引磁石１１の外側に位置する極がガイドピン５の上面と対向する位置になると、互いに同極であるためガイドピン５が反発して下方に移動して内筒８内に没入するのである。
【００２２】
このように吊り戸本体１が通過した後は、ガイドピン５が内筒８内に没入して床面４下に後退するので、床面４を歩行する場合などガイドピン５が邪魔になることがないものである。
【００２３】
また、内筒８とガイドピン５間にごみが侵入してガイドピン５の動きが阻害されるような場合には、板状の治具（図示せず）を内筒８の鍔部１５と外筒７のフランジ部１４間に挿入して持ち上げ、ガイドピン５を収容保持する内筒８を上方に引き抜き、進入したごみを除去してその保守を行えるようにしてある。
【００２４】
すでに述べたように、外筒７は上下縦方向で下端に開口したスリット９を有し、外筒７のスリット９が設けられている部分の内径は外筒７の下部にかけて小さくなるよう形成されている。ここで、外筒７を床面４の下穴に固定するには、まず下穴１３内に上方より外筒７を挿入して配置し、外筒７内に内筒８を緩く挿入する。内筒８の外径は外筒７の上端の内径よりも小さいので、この挿入は容易であるが、内筒８の外径は外筒７の下端の内径よりも大きいので、内筒８は外筒７の中ほどで静止した状態となる。この静止状態において、ガイドピン５が内筒８の中心に対して偏芯されている場合には、内筒８を外筒７に対して回転することにより、平面視におけるガイドピン５の位置を調整する。そして、外筒７内に内筒８を木槌などで打ち込むことにより、内筒８が外筒７に圧入される。この場合、内筒８の外径は外筒７の下端の内径よりも大きいので、内筒８により押圧されることによりスリット９の部分でラッパ状に拡開された外筒７の下部が下穴１３の周壁に食い込み、係止突起１０が上方への不意な抜けを防止するようになっている。ここで、内筒８の嵌め込み深さは内筒８の上端部の鍔部１５が外筒７のフランジ部１４に載置されて決められるが、内筒８の下端部が外筒７の下端部よりも若干下方に位置していることから、内筒８の挿入により外筒７の下部を確実に拡開させるようになっている。
【００２５】
したがって、この実施形態の吊り戸のガイド装置においては、外筒７内に内筒８を嵌め込む際の圧力によって外筒７の下部が拡開されるので、床面４の構造材の種類にかかわらず、外筒７を床面４の下穴１３にしっかりと固定することができる。
【００２６】
なお、この外筒７、内筒８とも樹脂により構成してもよいし、外筒７を樹脂、内筒８を金属により構成してもよい。また、スリット９は少なくとも対向する側面に一対設けられていればよく、十字割にしてもよいし、複数設けてもよい。
【００２７】
図６は、本願発明の第２の実施形態である吊り戸のガイド装置を示している。ここでは、上記第１の実施形態と相違する事項についてのみ説明し、その他の事項（構成、作用効果等）については、上記第１の実施形態と同様であるのでその説明を省略する。この吊り戸のガイド装置は、図６に示すように、外筒７のスリット９が設けられている部分において外筒７を外筒７の下部にかけて肉厚に形成しているが、外筒７の外面に係止突起は形成していない。
【００２８】
この場合、スリット９の部分でラッパ状に拡開された外筒７の下端部が肉厚であるため、内筒８の押圧に耐えうると同時に、より強い力で外筒７の下部が下穴１３の周壁に食い込むことになる。
【００２９】
したがって、外筒７のスリット９が設けられている部分において外筒７を外筒７の下部にかけて肉厚に形成することで、固定する際に押圧される外筒７の下部の強度を保つことができるとともに、より強固に外筒７を床面４の下穴１３に固定することができる。
【００３０】
図７は、本願発明の第３の実施形態である吊り戸のガイド装置を示している。ここでは、上記第２の実施形態と相違する事項についてのみ説明し、その他の事項（構成、作用効果等）については、上記第２の実施形態と同様であるのでその説明を省略する。この吊り戸のガイド装置は、図７に示すように、外筒７のスリット９が設けられている部分の外面に多段の係止突起１０を形成することにより、外筒７が床面４の下穴１３に係合されるようになしている。また、外筒７のスリット９が設けられている部分において外筒７を外筒７の下部にかけて肉厚に形成している。
【００３１】
この場合、スリット９の部分でラッパ状に拡開された外筒７の外面に係止突起１０が多段に形成されているため、この係止突起１０が下穴１３の周壁と係合し、外筒７の上方への不意な抜けを防止するようになっている。また、スリット９の部分でラッパ状に拡開された外筒７の下端部が肉厚であるため、内筒８の押圧に耐えうると同時に、より強い力で外筒７の下部が下穴１３の周壁に食い込むことになる。
【００３２】
したがって、外筒７の外面に形成された係止突起１０によって、外筒７が床面４の下穴１３に係合し、より確実に、そして、より強固に固定することができる。
【００３３】
なお、この係止突起１０は外筒７のスリット９が設けられている部分の外面に浅溝加工を施して形成してもよいし、ねじ加工やローレット加工を施して形成してもよい。
【００３４】
更に、請求項４記載の吊り戸のガイド装置の施工方法について説明する。これらの実施形態においては、図１、図６、図７に示すように、床面４にドリルにより下穴１３を穿孔する。ここで下穴１３の内径は外筒７の外径よりも若干大きく設定され、かつ下穴１３の深さは外筒７の長さよりも若干大きく設定されるようになしている。この下穴１３内に上方より外筒７を挿入して配置し、外筒７内に内筒８を緩く挿入する。内筒８の外径は外筒７の上端の内径よりも小さいので、この挿入は容易であるが、内筒８の外径は外筒７の下端の内径よりも大きいので、内筒８は外筒７の中ほどで静止した状態となる。この静止状態において、ガイドピン５が内筒８の中心に対して偏芯されている場合には、内筒８を外筒７に対して回転することにより、平面視におけるガイドピン５の位置を調整する。そして、外筒７内に内筒８を木槌などで打ち込むことにより、内筒８が外筒７に圧入される。
【００３５】
この場合、内筒８の外径は外筒７の下端の内径よりも大きいので、内筒８により押圧されることによりスリット９の部分でラッパ状に拡開された外筒７の下部が下穴１３の周壁に食い込むことになる。ここで、内筒８の嵌め込み深さは内筒８の上端部の鍔部１５が外筒７のフランジ部１４に載置されて決められが、内筒８の下端部が外筒７の下端部よりも若干下方に位置していることから、内筒８の挿入により外筒７の下部を確実に拡開させるようになっている。
【００３６】
したがって、この実施形態における吊り戸のガイド装置の施工方法においては、外筒７内に内筒８を嵌め込む際の圧力によって外筒７の下部を拡開させるので、床面４の構造材の種類にかかわらず、外筒７を床面４の下穴１３にしっかりと固定することができる。
【図面の簡単な説明】
【００３７】
【図１】本願発明の第１の実施形態である吊り戸のガイド装置の要部を示し、（ａ）は外筒に内筒を嵌め込んだ状態の正面図であり、（ｂ）は外筒の正面図であり、（ｃ）は施工状態を示す断面図である。
【図２】同吊り戸のガイド装置の全体概略を示す分解斜視図である。
【図３】同吊り戸のガイド装置の走行を説明する一部を破断した正面図である。
【図４】同吊り戸のガイド装置の全体概略を示す縦断面図である。
【図５】同吊り戸のガイド装置を示す正面図である。
【図６】本願発明の第２の実施形態である吊り戸のガイド装置の要部を示し、（ａ）は外筒に内筒を嵌め込んだ状態の正面図であり、（ｂ）は外筒の正面図であり、（ｃ）は施工状態を示す断面図である。
【図７】本願発明の第３の実施形態である吊り戸のガイド装置の要部を示し、（ａ）は外筒に内筒を嵌め込んだ状態の正面図であり、（ｂ）は外筒の正面図であり、（ｃ）は施工状態を示す断面図である。
【図８】従来例である吊り戸のガイド装置の要部を示し、（ａ）は外筒に内筒を嵌め込んだ状態の正面図であり、（ｂ）は施工状態を示す断面図である。
【符号の説明】
【００３８】
１  吊り戸本体
２  上レール
３  ランナー
４  床面
５  ガイドピン
６  走行溝
７  外筒
８  内筒
９  スリット
１０  係止突起
【図１】
0005169058.tif 000002
【図２】
0005169058.tif 000003
【図３】
0005169058.tif 000004
【図４】
0005169058.tif 000005
【図５】
0005169058.tif 000006
【図６】
0005169058.tif 000007
【図７】
0005169058.tif 000008
【図８】
0005169058.tif 000009